(57)【要約】【課題】透明な被検出体の挿されていても、挿入されていないと判定されることを解決する。【解決手段】検出装置は、被検出体を斜めに照射する光源と、前記被検出体が挿入されていない場合に前記光源からの光を通過させ、透明な前記被検出体が挿入されている場合に透明な前記被検出体を屈折して通過した光を通過させない、または、光量を減少して到達させる位置に透過部を備える透過調整器と、前記透過部を通過した前記光源からの光を受光し、光量に相当する感知光量情報を出力する受光器と、前記受光器からの感知光量情報に基づいて、前記被検出体の挿入・非挿入を判定する制御部とを含む。【選択図】      図１
2014092511.tif 000002
【特許請求の範囲】
【請求項１】
被検出体を斜めに照射する光源と、
前記被検出体が挿入されていない場合に前記光源からの光を通過させ、透明な前記被検出体が挿入されている場合に透明な前記被検出体を屈折して通過した光を通過させない、または、光量を減少して到達させる位置に透過部を備える透過調整器と、
前記透過部を通過した前記光源からの光を受光し、光量に相当する感知光量情報を出力する受光器と、
前記受光器からの感知光量情報に基づいて、前記被検出体の挿入・非挿入を判定する制御部と、
を含むことを特徴とする検出装置。
【請求項２】
感知光量情報に基づく光量の値≧閾値情報であれば、前記被検出体が挿入されていないと判定し、感知光量情報に基づく光量の値＜閾値情報であれば、前記被検出体が挿入されていると判定する前記制御部を含むことを特徴とする請求項１の検出装置。
【請求項３】
初期に前記被検出体が挿入されていない状態において、前記光源からの光を受光した前記受光器から出力された感知光量情報に基づいて基準光量値を設定し、基準光量値から一定のオフセット値を減算し、閾値情報として設定する前記制御部を含むことを特徴とする請求項２の検出装置。
【請求項４】
常時、または、一定期間経過時に、前記被検出体が挿入されていない状態において、基準光量値を新たに設定し、新たに設定された基準光量値に基づいて閾値情報を更新する前記制御部を含むことを特徴とする請求項３の検出装置。
【請求項５】
ＬＥＤと、前記ＬＥＤからの光の幅、または、角度を調整する指向調整器とを含む前記光源を含むことを特徴とする請求項１、２、３、または４の検出装置。
【請求項６】
スリットである前記透過部を備える前記透過調整器を含むことを特徴とする請求項１、２、３、４、または５の検出装置。
【請求項７】
非透明、または、透明なＩＣカードである前記非被検出体を挿入可能なカードリーダであることを特徴とする請求項１、２、３、４、５、または、６の検出装置。
【請求項８】
被検出体を斜めに照射する光源からの光に対し、前記被検出体が挿入されていない場合に、前記光源からの光を通過させ、透明な前記被検出体が挿入されている場合に透明な前記被検出体を屈折して通過した光を通過させない、または、光量を減少して到達させる位置に透過調整器の透過部を配置し、
前記透過部を通過した前記光源からの光を受光し、光量に相当する感知光量情報に基づいて、前記被検出体の挿入・非挿入を判定することを特徴とする検出方法。
【請求項９】
感知光量情報に基づく光量の値≧閾値情報であれば、前記被検出体が挿入されていないと判定し、感知光量情報に基づく光量の値＜閾値情報であれば、前記被検出体が挿入されていると判定することを特徴とする請求項８の検出方法。
【請求項１０】
初期に前記被検出体が挿入されていない状態において、前記光源からの光を受光した前記受光器から出力された感知光量情報に基づいて基準光量値を設定し、基準光量値から一定のオフセット値を減算し、閾値情報として設定することを特徴とする請求項９の検出方法。
【発明の詳細な説明】
【技術分野】
【０００１】
本発明は、検出装置、および、検出方法に関する。
【背景技術】
【０００２】
被検出体検出装置に関する技術の一例が、特許文献１に記載されている。この技術は、受光素子の出力レベルと、あらかじめ設定された検出レベルとを比較することで被検出体の有無を検出する被検出体検出装置に関するものである。
【０００３】
また、この技術においては、検出レベルは、発光素子を通常使用時の駆動電流よりも小さい駆動電流で減光して発光させ、かつ、被検出体により発光素子からの光が遮られていない条件下における受光素子からの出力レベルに基づいて設定される。そして、この技術は、検出レベルの設定時における発光素子の駆動電流を多段階で調整する駆動電流調整回路を備えている。
【先行技術文献】
【特許文献】
【０００４】
【特許文献１】特開２００５−３０８５９３号公報
【発明の概要】
【発明が解決しようとする課題】
【０００５】
特許文献１記載の技術においては、透明の被検出体の有無を判定することができないという課題がある。被検出体が透明である場合、発光素子からの光が検出体に遮れられずに受光素子に到達し、被検出体が存在しても、被検出体が存在しないと判定されるからである。
【０００６】
本発明の目的は、上記課題を解決した検出装置、および、検出方法を提供することである。
【課題を解決するための手段】
【０００７】
本発明の検出装置は、被検出体を斜めに照射する光源と、前記被検出体が挿入されていない場合に前記光源からの光を通過させ、透明な前記被検出体が挿入されている場合に透明な前記被検出体を屈折して通過した光を通過させない、または、光量を減少して到達させる位置に透過部を備える透過調整器と、前記透過部を通過した前記光源からの光を受光し、光量に相当する感知光量情報を出力する受光器と、前記受光器からの感知光量情報に基づいて、前記被検出体の挿入・非挿入を判定する制御部とを含む。
【０００８】
本発明の検出方法は、被検出体を斜めに照射する光源からの光に対し、前記被検出体が挿入されていない場合に、前記光源からの光を通過させ、透明な前記被検出体が挿入されている場合に透明な前記被検出体を屈折して通過した光を通過させない、または、光量を減少して到達させる位置に透過調整器の透過部を配置し、前記透過部を通過した前記光源からの光を受光し、光量に相当する感知光量情報に基づいて、前記被検出体の挿入・非挿入を判定する。
【発明の効果】
【０００９】
本発明によれば、透明な被検出体の挿入・非挿入を容易に判定できる。
【図面の簡単な説明】
【００１０】
【図１】本発明の第１の実施の形態の構成を示す構成図である。
【図２】本発明の第１の実施の形態の動作を示す動作説明図である。
【図３】本発明の第１の実施の形態の動作を示す動作説明図である。
【図４】本発明の第１の実施の形態の動作を示す動作説明図である。
【図５】本発明の第２の実施の形態の構成を示す構成図である。
【図６】本発明の第２の実施の形態の動作を示す動作説明図である。
【図７】本発明の第３の実施の形態の構成を示す構成図である。
【発明を実施するための形態】
【００１１】
次に、本発明の第１の実施の形態について図面を参照して詳細に説明する。図１は、第１の実施の形態の構成を示す構成図である。
【００１２】
図１を参照すると、第１の実施の形態の検出装置１００は、光源１０１、受光器１０２、透過調整器１０３、および、制御部１０４を含む。光源１０１は、たとえば、レーザ光源、ＬＥＤ（Light Emitting Diode）等である。受光器１０２は、たとえば、フォトトランジスタ等である。透過調整器１０３には、光源１０１からの光を通過させるための透過部が設けられている。透過調整器１０３は、たとえば、透過部として、透明部分、孔、または、スリット等をもつ調整器である。
【００１３】
制御部１０４は、たとえば、プロセッサ、Ａ／Ｄ（Analog/ Digital)コンバータ、Ｄ／Ａ（Digital/ Analog)コンバータ等を含むことが可能である。また、検出装置１００は、透過調整器１０３と受光器１０２との間に、非透明、または、透明な被検出体１５０を挿入可能な構成である。被検出体１５０は、部分的に透明であってもよい。ここで、透明とは、一定量の光を透過させることを意味する。たとえば、被検出体１５０は、半透明であってもよい。また、被検出体１５０は、たとえば、ＩＣカード等である。
【００１４】
被検出体１５０が挿入されていないとき、光源１０１からの光は、透過調整器１０３の透過部を通過して、受光器１０２に到達する。また、光源１０１からの光は、被検出体１５０に対して、垂直ではなく斜めに入力されるように設定される。
【００１５】
次に、第１の実施の形態の動作について図面を参照して説明する。図２、図３、図４は、第１の実施の形態の動作を示す動作説明図である。
【００１６】
制御部１０４には、事前に、閾値情報が設定される。受光器１０２で受光された光の光量が閾値情報以上の場合、被検出体１５０の非挿入と判定され、閾値情報未満の場合、被検出体１５０の挿入と判定されるように、閾値情報が設定される。
【００１７】
以下の説明において、受光器１０２に光が到達しないという表現は、被検出体１５０が挿入されていない場合にくらべて、光量が減少して到達することを含む。
【００１８】
まず、被検出体１５０が、挿入されていない場合について説明する。
【００１９】
図２を参照すると、光源１０１からの光は、透過調整器１０３の透過部を通過して、受光器１０２に到達する。受光器１０２は、光を受光し、光量に相当する感知光量情報（たとえば、アナログ情報）を制御部１０４に出力する。
【００２０】
制御部１０４は、感知光量情報を受け取ると、事前に設定された閾値情報と比較し、感知光量情報が閾値情報以上なので、被検出体１５０が挿入されていないと判断する。
【００２１】
次に、非透明の被検出体１５０が、挿入されている場合について説明する。
【００２２】
図３を参照すると、光源１０１からの光は、非透明の被検出体１５０に到達する。しかし、光源１０１からの光は、透過調整器１０３の透過部には、到達しない。したがって、光源１０１からの光は、受光器１０２に到達しない。
【００２３】
受光器１０２は、光量に相当する感知光量情報を制御部１０４に出力する。制御部１０４は、感知光量情報を受け取ると、事前に設定された閾値情報と比較し、感知光量情報が閾値情報未満なので、被検出体１５０が挿入されていると判断する。
【００２４】
次に、透明の被検出体１５０が、挿入されている場合について説明する。
【００２５】
図４を参照すると、光源１０１からの光は、透明の被検出体１５０に到達する。そして、光源１０１からの光は、透明の被検出体１５０で屈折し、透明の被検出体１５０を通過する。しかし、透明の被検出体１５０を通過した光は、屈折しているので、透過調整器１０３の透過部には到達せず、ずれた位置に到達する。したがって、透明の被検出体１５０を通過した光は、受光器１０２に到達しない。
【００２６】
受光器１０２は、光量に相当する感知光量情報を制御部１０４に出力する。制御部１０４は、感知光量情報を受け取ると、事前に設定された閾値情報と比較し、感知光量情報が閾値未満なので、被検出体１５０が挿入されていると判断する。
【００２７】
次に、第１の実施の形態の効果について説明する。
【００２８】
第１の実施の形態は、被検出体１５０が挿入されていない場合に光源１０１からの光を通過させ、透明な被検出体１５０が挿入されている場合に透明な被検出体１５０を屈折して通過した光を通過させない、または、光量を減少して到達させる位置に透過部を備える透過調整器１０３を含む構成である。したがって、第１の実施の形態は、透明な被検出体１５０の挿入・非挿入を容易に判定できるという効果をもつ。
【００２９】
次に、本発明の第２の実施の形態について図面を参照して詳細に説明する。図５は、第２の実施の形態の構成を示す構成図である。
【００３０】
図５を参照すると、第２の実施の形態のカードリーダ２００は、光源１０１、スリット器２０３、フォトトランジスタ２０２、および、制御部１０４を含む。制御部１０４は、プロセッサ２０５、Ｄ／Ａコンバータ２０６、および、Ａ／Ｄコンバータ２０７を含む。光源１０１は、ＬＥＤ２０１、および、指向調整器２１１を含む。
【００３１】
カードリーダ２００は、第１の実施の形態の検出装置１００の一例である。スリット器２０３、フォトトランジスタ２０２は、それぞれ、第１の実施の形態の透過調整器１０３、受光器１０２の一例である。スリット器２０３のスリットは、第１の実施の形態の透過部の一例である。カードリーダ２００は、ＩＣカード２５０（第１の実施の形態の被検出体１５０の一例）を挿入可能である。また、カードリーダ２００は、電源部、抵抗、ＩＣカード２５０を搬送するための搬送路、搬送ローラ等を備えることが可能であるが、発明の本質に重要ではないので、説明を省略する。
【００３２】
次に、第２の実施の形態の動作について図面を参照して説明する。図６は、第２の実施の形態の動作を示す動作説明図である。
【００３３】
図６を参照すると、プロセッサ２０５は、Ｄ／Ａコンバータ２０６に光量に相当する照射光量信号（デジタル信号）を出力する（ステップＳ１）。Ｄ／Ａコンバータ２０６は、照射光量信号を受け取ると、光量に相当する照射光量情報（アナログ）に変換し、ＬＥＤ２０１に出力する（ステップＳ２）。ＬＥＤ２０１は、照射光量情報を受け取ると、照射光量情報に相当する光量の光を出力する（ステップＳ３）。
【００３４】
指向調整器２１１は、たとえば、孔を備えた不透明なカバーである。指向調整器２１１の孔からのみ光が出ることにより、光の幅、または、角度が調整される。指向調整器２１１の孔から出力される光は、一定値以下の幅、一定値の角度に調整される。
【００３５】
ＩＣカード２５０が挿入されていない場合（ステップＳ４／非挿入）、指向調整器２１１からの光は、スリット器２０３のスリットを通過し、フォトトランジスタ２０２に到達する（ステップＳ５）。
【００３６】
不透明なＩＣカード２５０が挿入されている場合（ステップＳ４／挿入［不透明］）、指向調整器２１１からの光は、ＩＣカード２５０を通過できないので、スリット器２０３、および、フォトトランジスタ２０２に到達しない（ステップＳ６）。
【００３７】
透明なＩＣカード２５０が挿入されている場合（ステップＳ４／挿入［透明］）、指向調整器２１１からの光は、透明なＩＣカード２５０で屈折し、スリット器２０３に到達する（ステップＳ７）。しかし、指向調整器２１１からの光は、スリット器２０３のスリットの位置には到達せず、ずれた位置に到達する（ステップＳ８）。したがって、指向調整器２１１からの光は、フォトトランジスタ２０２に到達しない（ステップＳ９）。たとえ、指向調整器２１１からの光が到達しても、光量は減少している。
【００３８】
フォトトランジスタ２０２は、到達した光の光量に相当する感知光量情報（アナログ）をＡ／Ｄコンバータ２０７に出力する（ステップＳ１０）。Ａ／Ｄコンバータ２０７は、感知光量情報を受け取ると、光量に相当する照射光量信号（デジタル信号）に変換し、プロセッサ２０５に出力する（ステップＳ１１）。
【００３９】
プロセッサ２０５は、照射光量信号を受け取ると、照射光量信号の示す光量の値と事前に設定された閾値情報とを比較する（ステップＳ１２）。プロセッサ２０５は、照射光量信号の示す光量の値≧閾値情報であれば（ステップＳ１２／Ｙ）、ＩＣカード２５０が挿入されていないと判定する（ステップＳ１３）。また、プロセッサ２０５は、照射光量信号の示す光量の値＜閾値情報であれば（ステップＳ１２／Ｎ）、ＩＣカード２５０が挿入されていると判定する（ステップＳ１４）。
【００４０】
以上においては、プロセッサ２０５が、Ｄ／Ａコンバータ２０６に対し、光量に相当する照射光量信号（デジタル信号）を出力する構成について説明した。しかし、プロセッサ２０５が、Ｄ／Ａコンバータ２０６に、光を出力するかどうかを示す照射指示信号（光量を示さない）を出力する構成も可能である。この構成の場合、照射指示信号に基づいて、Ｄ／Ａコンバータ２０６から照射指示情報が出力される。そして、ＬＥＤ２０１は、照射指示情報を受け取ると、固定の光量の光を出力する。
【００４１】
また、プロセッサ２０５が、照射指示信号を出力せず、ＬＥＤ２０１が、常に固定の光量の光を出力する構成も可能である。
【００４２】
次に、閾値情報の設定について説明する。説明を簡潔にするために、ＬＥＤ２０１が固定の光量の光を出力する場合について説明する。
【００４３】
初期に、ＩＣカード２５０が挿入されていない状態において、プロセッサ２０５は、照射指示信号を出力する。そして、ＬＥＤ２０１から固定の光量の光が出力され、ＬＥＤ２０１からの光は、スリット器２０３のスリットを通過し、フォトトランジスタ２０２に到達する。
【００４４】
フォトトランジスタ２０２は、到達した光の光量に相当する感知光量情報をＡ／Ｄコンバータ２０７に出力する。Ａ／Ｄコンバータ２０７は、感知光量情報を受け取ると、光量に相当する照射光量信号に変換し、プロセッサ２０５に出力する。
【００４５】
プロセッサ２０５は、照射光量信号を受け取ると、照射光量信号で示される値を基準光量値として内部に格納する。次に、プロセッサ２０５は、基準光量値から一定のオフセット値を減算し、閾値情報として設定する。このオフセット値は、検査等により、ＩＣカード２５０の挿入・非挿入の判定が可能な値に設定することが可能である。
【００４６】
また、プロセッサ２０５が、常時、または、一定期間経過時に、ＩＣカード２５０が挿入されていない状態において、照射指示信号を出力し、基準光量値を新たに設定し、新たに設定された基準光量値に基づいて閾値情報を更新する構成が可能である。
【００４７】
また、プロセッサ２０５が、初期の基準光量値と更新された基準光量値との差分を算出し、差分が一定値以上になることを検出すると、外部に、差分が一定値以上であることを示す情報を出力する構成が可能である。
【００４８】
次に、第２の実施の形態の効果について説明する。
【００４９】
第２の実施の形態は、第１の実施の形態の一例なので、第１の実施の形態と同一の効果をもつ。
【００５０】
また、プロセッサ２０５が、常時、または、一定期間経過時に、基準光量値、および、閾値情報を更新する構成では、経年変化、塵等による誤判定を防ぐことができる。したがって、第２の実施の形態は、信頼性が向上するという効果をもつ。
【００５１】
また、プロセッサ２０５が、初期の基準光量値と更新された基準光量値との一定値以上になることを検出すると、外部に、差分が一定値以上であることを示す情報を出力する構成では、あらかじめ、故障等を予防することが可能である。したがって、第２の実施の形態は、信頼性が向上するという効果をもつ。
【００５２】
次に、本発明の第３の実施の形態について図面を参照して詳細に説明する。第３の実施の形態は、第２の実施の形態の一例である。
【００５３】
第３の実施の形態の全体構成は、図５に示す第２の実施の形態と同一である。図７は、第３の実施の形態のカードリーダ２００の構成を示す構成図である。図７は、カードリーダ２００の一部を示す。
【００５４】
図７を参照すると、第３の実施の形態のカードリーダ２００は、透明なＩＣカード２５０を挿入可能である。空気の屈折率を１とし、ＩＣカード２５０の厚さを１［ｍｍ］とし、ＩＣカード２５０の屈折率を１．５とする。
【００５５】
入射角４５度でＩＣカード２５０に入力した光（実線）は、屈折角２８度で屈折し、透明なＩＣカード２５０を進む。屈折角θは、、ｓｉｎ（４５度）／ｓｉｎθ＝１．５から算出される。点線は、ＩＣカード２５０が挿入されていない場合の光の進路である。光は、ある程度の幅をもつ光束として存在する。図７において、光の進路（実線、点線）は、光束の中心の進路を示す。
【００５６】
ＩＣカード２５０の出力面の位置では、ＩＣカード２５０が挿入されていない場合の光束の中心と、ＩＣカード２５０で屈折した光束の中心との距離は、０．３５［ｍｍ］である。したがって、スリット器２０３の表面では、ＩＣカード２５０が挿入されていない場合の光束の中心と、ＩＣカード２５０で屈折した光束の中心との距離は、０．２５［ｍｍ］である。
【００５７】
スリット器２０３のスリットは、ＩＣカード２５０が挿入されていない場合の光束の中心を中心とし、幅０．４［ｍｍ］に設けられている。したがって、ＩＣカード２５０で屈折した光束の中心は、スリットにかからない。よって、スリットを通過する光量は、ＩＣカード２５０が挿入されていない場合と、ＩＣカード２５０が挿入されている場合とで、差がある。
【００５８】
たとえば、光束の幅を０．４［ｍｍ］とし、光束において、光が一様に分布しているとすると、ＩＣカード２５０で屈折した光に関しては、光束の幅０．１５［ｍｍ］の部分が、スリットを通過する。したがって、ＩＣカード２５０が挿入されている場合は、ＩＣカード２５０が挿入されていない場合に比べて、０．１５／０．４＝３８［％］の光がスリットを通過する。
【００５９】
閾値を設定するためのオフセット値は、検査等により、この光量の差に基づいて設定されることが可能である。
【００６０】
次に、第３の実施の形態の効果について説明する。
【００６１】
第３の実施の形態は、第２の実施の形態の一例なので、第２の実施の形態と同一の効果をもつ。
【００６２】
上記の実施の形態の一部、または、全部は、以下の付記のようにも記載されうるが、以下には限られない。
【００６３】
［付記１］
被検出体を斜めに照射する光源と、
前記被検出体が挿入されていない場合に前記光源からの光を通過させ、透明な前記被検出体が挿入されている場合に透明な前記被検出体を屈折して通過した光を通過させない、または、光量を減少して到達させる位置に透過部を備える透過調整器と、
前記透過部を通過した前記光源からの光を受光し、光量に相当する感知光量情報を出力する受光器と、
前記受光器からの感知光量情報に基づいて、前記被検出体の挿入・非挿入を判定する制御部と、
を含むことを特徴とする検出装置。
【００６４】
［付記２］
感知光量情報に基づく光量の値≧閾値情報であれば、前記被検出体が挿入されていないと判定し、感知光量情報に基づく光量の値＜閾値情報であれば、前記被検出体が挿入されていると判定する前記制御部を含むことを特徴とする付記１の検出装置。
【００６５】
［付記３］
初期に前記被検出体が挿入されていない状態において、前記光源からの光を受光した前記受光器から出力された感知光量情報に基づいて基準光量値を設定し、基準光量値から一定のオフセット値を減算し、閾値情報として設定する前記制御部を含むことを特徴とする付記２の検出装置。
【００６６】
［付記４］
常時、または、一定期間経過時に、前記被検出体が挿入されていない状態において、基準光量値を新たに設定し、新たに設定された基準光量値に基づいて閾値情報を更新する前記制御部を含むことを特徴とする付記３の検出装置。
【００６７】
［付記５］
ＬＥＤと、前記ＬＥＤからの光の幅、または、角度を調整する指向調整器とを含む前記光源を含むことを特徴とする付記１、２、３、または４の検出装置。
【００６８】
［付記６］
スリットである前記透過部を備える前記透過調整器を含むことを特徴とする付記１、２、３、４、または５の検出装置。
【００６９】
［付記７］
非透明、または、透明なＩＣカードである前記非被検出体を挿入可能なカードリーダであることを特徴とする付記１、２、３、４、５、または、６の検出装置。
【００７０】
［付記８］
被検出体を斜めに照射する光源からの光に対し、前記被検出体が挿入されていない場合に、前記光源からの光を通過させ、透明な前記被検出体が挿入されている場合に透明な前記被検出体を屈折して通過した光を通過させない、または、光量を減少して到達させる位置に透過調整器の透過部を配置し、
前記透過部を通過した前記光源からの光を受光し、光量に相当する感知光量情報に基づいて、前記被検出体の挿入・非挿入を判定することを特徴とする検出方法。
【００７１】
［付記９］
感知光量情報に基づく光量の値≧閾値情報であれば、前記被検出体が挿入されていないと判定し、感知光量情報に基づく光量の値＜閾値情報であれば、前記被検出体が挿入されていると判定することを特徴とする付記８の検出方法。
【００７２】
［付記１０］
初期に前記被検出体が挿入されていない状態において、前記光源からの光を受光した前記受光器から出力された感知光量情報に基づいて基準光量値を設定し、基準光量値から一定のオフセット値を減算し、閾値情報として設定することを特徴とする付記９の検出方法。
【００７３】
［付記１１］
常時、または、一定期間経過時に、前記被検出体が挿入されていない状態において、基準光量値を新たに設定し、新たに設定された基準光量値に基づいて閾値情報を更新することを特徴とする付記１０の検出方法。
【００７４】
［付記１２］
前記光源が、ＬＥＤと、前記ＬＥＤからの光の幅、または、角度を調整する指向調整器とを含むことを特徴とする付記８、９、１０、または１１の検出方法。
【００７５】
［付記１３］
前記透過調整器がスリットである前記透過部を含むことを特徴とする付記８、９、１０、１１、または１２の検出方法。
【産業上の利用可能性】
【００７６】
本発明は、銀行を代表例とする金融機関に設置されているＡＴＭや、小売店等サービス業で使用されるＰＯＳシステム等、ＩＣカードを取り扱うシステムに適用可能である。
【符号の説明】
【００７７】
１００    検出装置
１０１    光源
１０２    受光器
１０３    透過調整器
１０４    制御部
１５０    被検出体
２００    カードリーダ
２０１    ＬＥＤ
２０２    フォトトランジスタ
２０３    スリット器
２０５    プロセッサ
２０６    Ｄ／Ａコンバータ
２０７    Ａ／Ｄコンバータ
２１１    指向調整器
２５０    ＩＣカード
【図１】
2014092511.tif 000003
【図２】
2014092511.tif 000004
【図３】
2014092511.tif 000005
【図４】
2014092511.tif 000006
【図５】
2014092511.tif 000007
【図６】
2014092511.tif 000008
【図７】
2014092511.tif 000009